(57)【要約】【課題】カラー媒体にプリントされた原稿の改良されたファクシミリ送信を提供する方法が必要である。【解決手段】オールインワンプリントシステムのファクシミリ送信機能を利用する際にカラー媒体を検知して補正する方法が開示される。実施形態は、原稿ページをカラースキャンしたものを得ること、原稿ページの背景色の近似値を決定すること、背景色を実質的になくすように原稿ページのスキャン画像を調整すること、とを含む。【選択図】図６
2006129494.tif 000002
【特許請求の範囲】
【請求項１】
カラー原稿スキャナを有する多機能プリントシステムにおいて、カラー用紙にプリントされた原稿をファクシミリ送信する方法であって、
元原稿をスキャンして、カラースキャン画像を得ることと、
前記カラースキャン画像を解析して、前記カラースキャン画像の背景色の特徴を決定することと、
前記背景色を白に効果的に変更するように、前記背景色の特徴に基づいて前記カラースキャン画像を変更することと
を含むカラー用紙にプリントされた原稿をファクシミリ送信する方法。
【請求項２】
前記変更された原稿をファクシミリ原稿として送信することをさらに含む、請求項１記載のカラー用紙にプリントされた原稿をファクシミリ送信する方法。
【請求項３】
前記多機能プリントシステムのハードワイヤード制御部によってイネーブルされる、請求項１記載のカラー用紙にプリントされた原稿をファクシミリ送信する方法。
【請求項４】
ソフトウェアメニューからオプションを選択することによってイネーブルされる、請求項１記載のカラー用紙にプリントされた原稿をファクシミリ送信する方法。
【請求項５】
前記カラースキャン画像を変更することは、前記画像内の各ピクセルの色値を均等量で調整することを含む、請求項１記載のカラー用紙にプリントされた原稿をファクシミリ送信する方法。
【請求項６】
多機能プリントシステムにおいて、
カラー原稿スキャナと、
ファクシミリ送信するための電話回線インタフェースと、
カラー用紙にプリントされた原稿をファクシミリ送信するように動作可能なファームウェアと、
を備え、該ファームウェアは、
元原稿をスキャンしてカラースキャン画像を得るルーチンと、
前記カラースキャン画像を解析して該カラースキャン画像の背景色の特徴を決定するルーチンと、
前記背景色を白に効果的に変更するように、前記背景色の特徴に基づいて前記カラースキャン画像を変更するルーチンと
を含む、多機能プリントシステム。
【請求項７】
前記ファームウェアルーチンは、前記変更された原稿をファクシミリ原稿として送信するルーチンをさらに含む、請求項６記載の多機能プリントシステム。
【請求項８】
前記カラー用紙にプリントされた原稿をファクシミリ送信するように動作可能なファームウェアは、前記多機能プリントシステムのハードワイヤード制御部によってイネーブルされる、請求項６記載の多機能プリントシステム。
【請求項９】
前記カラー用紙にプリントされた原稿をファクシミリ送信するように動作可能なファームウェアは、ソフトウェアメニューからオプションを選択することによってイネーブルされる、請求項６記載の多機能プリントシステム。
【請求項１０】
前記カラースキャン画像を変更することは、前記画像内の各ピクセルの色値を均等量で調整することを含む、請求項６記載の多機能プリントシステム。
【発明の詳細な説明】
【技術分野】
【０００１】
本開示は、包括的には原稿をファクシミリ送信する方法に関し、特に、多機能プリントシステムの機能を利用してファクシミリ送信された原稿の判読性を向上させる方法に関する。
【背景技術】
【０００２】
インクジェットプリンタ及びレーザプリンタを含め、プリントシステムは当分野において既知である。インクジェットプリントシステムでは、インクジェットプリントヘッドは通常、用紙等の印字媒体を左右に横切って移動するキャリッジに搭載される。プリントヘッドが印字媒体を横切って移動する際に、制御システムがプリントヘッドを起動させ、インク滴を印字媒体上に付着又は噴射させてテキスト及び画像を形成する。インクは、キャリッジにより運ばれるか、又は固定された収容ステーションに搭載されるインク供給源からプリントヘッドに供給される。
【０００３】
電子写真式、又は「レーザ」プリントシステムにおいて、一般に「トナー」と呼ばれるマーキング材料は、往々にしてトナーカートリッジと呼ばれる電子写真エンジンにより備えられる。トナーカートリッジは多くの場合、ドラム等の中間画像形成装置及び粉体トナー等の画像形成材料のリザーバを備える。走査レーザ等のエネルギー源を使用してドラムが帯電する。画像形成材料が帯電したドラムに引き付けられ、次いで印字媒体に転写される。
【０００４】
プリント技術に関わりなく、プリントシステムが一般にスキャナを備えることで、追加の機能を組み込むことが一般的になった。こういった多機能又は「オールインワン」システムによって、ユーザは原稿のプリント、スキャン、コピー、及びファクシミリ送信を行うことができる。所望の機能は通常、プリントシステムの制御パネルから選択するか、又はソフトウェアメニュー構造を通して選択することができる。典型的な制御パネルは、ハードワイヤードのボタン又は制御機構を備える場合もあれば、タッチセンシティブである場合（この場合にはタッチスクリーンと呼ぶことができる）もあればない場合もある液晶ディスプレイ（ＬＣＤ）を備える場合もある。係るディスプレイは通常、ユーザが指でディスプレイに触れることで、又は実際の制御パネルボタンを使用して機能をスクロールすることで選択可能な各種機能、たとえばボタンのグラフィックス表現を提供する。
【０００５】
オールインワンプリントシステムが提供する１つの一般的な機能は、ファクシミリ送信、すなわち「ファックス送信」である。ファクシミリ送信は、用紙シート上の画像をスキャンして、共通電話回線を介して送信可能な音声トーンに変換する比較的古い技術である。電話回線の帯域は狭く、これはファクシミリが通常、低解像度モノクロ画像であることを意味する。
【０００６】
ファクシミリ送信は、元原稿が実質的に白色背景上の暗い線又はテキストからなる場合にはまずまずうまくいく。ファクシミリ送信は、元原稿が低解像度モノクロ画像としてうまく再現されない特徴を有する場合にはあまりうまくいかない。たとえば、元原稿がカラー用紙にプリントされている場合、ファクシミリ送信された画像の背景におけるアーチファクトにより、ファクシミリ送信された原稿の判読性が著しく低下する恐れがある。
【発明の開示】
【発明が解決しようとする課題】
【０００７】
したがって、カラー媒体にプリントされた原稿の改良されたファクシミリ送信を提供する方法が必要である。
【課題を解決するための手段】
【０００８】
本発明の例示的な実施形態は、オールインワンプリントシステムのファクシミリ送信機能を利用する際にカラー媒体を検知して補正する方法を含む。実施形態は、原稿ページをカラースキャンしたものを得ること、原稿ページの背景色の近似値を決定すること、背景色を実質的になくすように原稿ページのスキャン画像を調整すること、とを含む。
【０００９】
本発明の原理を例として示し、添付図面を参照して、本発明の他の態様及び利点は、以下の詳細な説明から明らかになろう。
【００１０】
本発明は添付図面を参照することでよりよく理解することができる。図面中の構成要素は必ずしも一定の縮尺で描かれているわけではない。
【発明を実施するための最良の形態】
【００１１】
本発明の実施形態を例示的なプリントシステムに関して説明するが、本発明は例示的なシステムに限定されず、他のシステムで利用することも可能である。
【００１２】
以下の明細書には、説明を目的として、本発明の理解を提供するために特定の詳細を記す。しかし、本発明はこういった特定の詳細なしで実施し得ることが当業者に理解されよう。本明細書における「一実施形態」又は「例示的な実施形態」への言及は、その実施形態に関連して説明される特定の機能、構造、又は特徴が少なくとも１つの実施形態に包含されることを意味する。本明細書の様々な箇所に現れる語句「一実施形態では」は、必ずしも同じ実施形態を指すとは限らない。
【００１３】
図１に、本発明の実施形態を利用することができる例示的なプリントシステム１００を示す。適度な量の大きなプリントを対象として、図示のシステムは他の複数の機能も備え、たとえば、オフィスネットワークに接続してプリント、スキャン、コピー、及びファクシミリ送信の各機能を作業グループに提供することができる。この例示的なプリントシステム１００は、電子写真式、すなわち「レーザ」プリンタを備えてもよく、又はインクジェット等、別のプリント技術を採用してもよい。本発明の実施形態は勿論、個人使用向けのより小型の多機能システム等、他の「オールインワン」システムに利用することも可能である。
【００１４】
図２は、例示的な「オールインワン」プリントシステム１００を、ファクシミリを送受信するために、外部装置、及び電話システムを含めたシステムに接続する一般的な方法を示す概略ブロック図である。具体的な性質に関わりなく、例示的なプリントシステム１００は、選択可能な機能を含む各種画面をユーザに提示することができるディスプレイ１０６を含む制御パネル１０４を備える。例として、ディスプレイ１０６は、タッチセンシティブの液晶ディスプレイ（ＬＣＤ）を含むことができる。ディスプレイ１０６の他に、制御パネル１０４はオプションとして、ボタン１０８等の物理的な制御機構も備えることができる。
【００１５】
例示的なプリントシステム１００は、パーソナルコンピュータ（ＰＣ）を含むことができるローカルコンピューティング装置１２０、又はサーバを含むことができるリモートコンピューティング装置１３２にネットワーク１３０を介して、直接又はワイヤレスに接続することができる。以下考察するように、いずれのコンピューティング装置１２０、１３２も、ファクシミリ送信オプションを選択するためのソースとしての役割を果たすことができる。さらに、ローカルコンピューティング装置１２０は、オプションをユーザに表示する手段をさらに提供することができる。使用される場合、ネットワーク１３０は通常、互いに通信可能に結合された１つ又は複数のサブネットワークを含む。例として、こういったネットワークは、１つ又は複数のローカルエリアネットワーク（ＬＡＮ）及び／又は広域ネットワーク（ＷＡＮ）を含むことができる。いくつかの実施形態では、ネットワーク１３０は、インターネットの一部を形成するネットワークの集合を含むことができる。
【００１６】
例示的なオールインワンプリントシステム１００は、ファクシミリ機能も提供し、他のファクシミリ機又は電話１４２も接続することができる電話システム１４０に接続することができる。スキャン、コピー、及びファクシミリ送信を行うために、例示的なプリントシステム１００は、カバー１１０を持ち上げるか、又は用紙フィーダ１１２を通して原稿を供給することでアクセスすることができるフラットベッドスキャナを備える。
【００１７】
図３に、カラー媒体３００にプリントされた例示的な原稿を示す。原稿はたとえば、カラー用紙３１０（クロスハッチで示す）にプリントされたテキストエリア３０２、３０４、３０６、又はグラフィックスエリアを含み得る。カラー用紙は元原稿に対する関心度を高めることができるが、低解像度モノクロ画像に変換された場合に得られるファクシミリの品質は不良になり得る。本発明の実施形態は、以下さらに考察するように、カラー用紙の存在を検知すること、及びファクシミリ送信に先立って背景色が画像から基本的に「除去」されるように背景色を特徴付けること、とを含む。
【００１８】
図４に、本発明の一実施形態を組み込んだオールインワンプリント装置の例示的な制御パネル４００を示す。例示的なパネル４００は、メニューオプションを表示するディスプレイ４０２及びメニューをナビゲートするための一連のボタン４０４を備えることができる。パネルは、コピーオプション及びプリントオプションを選択するための専用ボタン４０６をさらに備えることもできる。
【００１９】
通常、ファクシミリ機又は多機能機は、ファクシミリ送信を開始するボタン（物理的な「ハードワイヤード」のボタンであるか、又はタッチスクリーン上の「仮想的な」ボタンのいずれか）を備える。本発明の一実施形態はそうではなく、２つのボタンを備え、２つのボタンのうち、１つめのボタンは実質的に白色の背景を有する原稿のファクシミリ送信を開始するためのボタン４０８であり、２つめのボタンは実質的にべた一色(solid color)の背景を有する原稿のファクシミリ送信を開始するためのボタン４１０である。ユーザが白色背景用のボタン４０８を押下すると、ファクシミリ送信は通常のファクシミリ送信として進められ、原稿がスキャンされ、音声トーンに変換されて送信される。
【００２０】
しかし、ユーザがカラー背景用のボタン４１０を押下すると、多機能装置は原稿のカラースキャンを行い、色情報を用いて背景色を検知し、ファクシミリ送信を行うに先立ってその色を画像から実質的に除去する。
【００２１】
例として、図３の原稿は赤みを帯びた用紙にプリントされていることができる。スキャナは通常、色を赤、緑、及び青等の色平面に分離し、各ピクセルに３つの数値（Ｒ、Ｇ、及びＢ）を割り当てることによって色を符号化する。したがって、各ピクセルは３つの値、すなわち赤値、緑値、及び青値を含むことができる。任意のピクセルの赤、緑、及び青の各値はそれぞれ、最小ピクセル値から最大ピクセル値までの範囲にある。通常、最小ピクセル値は０であり、最大ピクセル値は２５５に等しい（他の範囲も可能である）。したがって、各赤値は０から２５５までの範囲内にある。同様に、各緑値及び青値も０から２５５までの範囲内にある。
【００２２】
ピクセルは、赤、緑、及び青の各値がすべて最大ピクセル値（すなわち、２５５）に等しい場合には、好ましくは「純粋な白」を表す。ピクセルは、赤、緑、及び青の各値がすべて最小ピクセル値（すなわち、０）に等しい場合には、好ましくは「純粋な黒」を表す。したがって、図３のサンプル原稿では、赤みを帯びた背景を、２５５に満たない緑値及び青値を有する各背景ピクセル（たとえば、Ｒ値が２５５、Ｇ値が１２８、及びＢ値が１２８をそれぞれ有するピクセル）で示すことができる。
【００２３】
本発明の一実施形態では、原稿のフルカラースキャンを行った後、多機能装置に関連するファームウェア又はソフトウェアが画像の解析を行い、非白背景色が存在するか否かを決定し、背景色に適切な値を確立する。ファームウェア又はソフトウェアは、スキャンされた画像における支配色及び色の分布に基づいて背景色を決定することができる。たとえば、アルゴリズムは単に、ページ本体内に特定の値よりも大きな値を有するピクセルがないことを特定することができる。原稿の背景色を決定するアルゴリズムは多くの形をとることができ、当分野において既知のように、原稿の単純又は複雑な統計解析に基づくことができる。
【００２４】
背景色の適切な値が確立されると（たとえば、例として、Ｒ値が２５５、Ｇ値が１２８、及びＢ値が１２８とする）、ソフトウェアはその色を画像の背景から効果的に除去する。本発明のいくつかの実施形態では、背景色の除去は、決定された背景色が白から異なる量だけ画像の全ピクセルを効果的に調整する（たとえば、この例では、Ｒ値が０、Ｇ値が１２７、Ｂ値が１２７をすべてのピクセルに均等に追加し、２５５を超える結果はいずれも２５５に切り捨てられる）単純なアルゴリズムの形をとることができる。他の実施形態では、背景色を調整するアルゴリズムはより複雑であることができ、各ピクセルを「背景」又は「画像」のいずれかとしてまず分類すること、及び背景画像のみを調整することを含むことができる。画像の背景色を調整する他のアルゴリズムも当分野において既知であり、本発明実施形態に利用することができる。
【００２５】
スキャンされた画像の背景を実質的な「白」の値に調整した後、調整された画像を、既存のファクシミリ機又はファクシミリソフトウェアで行われる方法と同じ方法で、既存のファクシミリ機又はソフトウェアを使用したならば発生するであろう劣化を伴うことなくファクシミリ送信することができる。基本的に、スキャナは、元原稿に存在する背景色が何であれ、「白」になるようにファクシミリを「較正」するために使用される。
【００２６】
図４の物理的な「カラー背景」ボタン４１０を有することに対する代替の実施形態は、図５に示すような選択可能モードをファームウェアに提供することである。図５に、本発明の一実施形態において利用可能なような「ファクシミリ設定」メニューを示す。ファクシミリ設定は、「デフォルト解像度」、「デフォルト明・暗」等、大半のファクシミリ装置に共通する設定を含む。この他に、メニューは「カラー媒体補正」モードを選択するオプションを含み、この「カラー媒体補正」モードを選択すると、本発明の一実施形態が可能になる。メニューは、「仮想」メニューの一部として、図２のディスプレイ１０６等、多機能装置のフロントパネルディスプレイに提示してもよく、又は外部のパーソナルコンピュータ１２０又はネットワーク化されたコンピュータ１３２に存在するドライバルーチンの一部を成してもよい。
【００２７】
現在のファクシミリ装置は、図５に示す「デフォルト明・暗」設定５０４等、カラー媒体の補正に対していくらか制限の付いた調整が可能であり得る。しかし、正しく設定するのが困難な場合があり、通常、明・暗設定は原稿が無彩色調を有するものと仮定しているため理想的なソリューションではない場合がある。デフォルト明・暗設定の変更は、現在のユーザはデフォルトが前のユーザによって変更されたことに気付かない場合があるため、その後のファクシミリ送信を正しくない設定で行ってしまう危険性がある。本発明の実施形態は、手動較正の必要をなくし、その後のファクシミリを正しくない設定で送信してしまうことを回避する。
【００２８】
図６は、本発明の実施形態をさらにまとめた流れ図６００である。本発明の実施形態は、元原稿のカラースキャンを行う（６０４）ことで開始される（６０２）。スキャンされた画像から、元原稿の背景色が決定される（６０６）。背景色がわかると、画像は、背景色を効果的に除去するように調整される（６０８）。その後、調整された原稿がファクス送信され（６１０）、本発明の実施形態は終了する（６１２）。
【００２９】
図６の流れ図中のいずれのプロセスステップ又はブロックも、プロセス中の特定の論理機能又はステップを実施する１つ又は複数の実行可能命令を含むモジュール、セグメント、又はコードの一部を表すことができる。特定のステップ例について説明したが、代替の実施態様も実現することが可能である。さらに、ステップは、関わる機能に応じて、略同時に、又は逆順で等、図示又は詳述した順序とは別の順序で実行してもよい。
【００３０】
各種プログラムについて本明細書において説明した。これらプログラムは、任意のコンピュータ関連システム又は方法により使用される、又は併用される、任意のコンピュータ可読媒体に記憶することができることを理解されたい。本明細書の文脈の中では、コンピュータ可読媒体は、コンピュータ関連システム又は方法により使用される、又は併用される、コンピュータプログラムを収容又は記憶することができる電子、磁気、光学、又は他の物理的な装置又は手段である。開示したプログラムは、命令実行システム、装置、デバイス、又はこれらから命令をフェッチして実行することができる他のシステム等により使用される、又は併用される任意のコンピュータ可読媒体で具現することができる。ここで、命令実行システム、装置、又はデバイスは、コンピュータベースのシステム、プロセッサ内蔵システムを含むことができる。本明細書の文脈の中では、「コンピュータ可読媒体」は、命令実行システム、装置、又はデバイスにより使用される、又は併用されるプログラムの記憶、通信、伝搬、搬送を行うことができる任意の手段であることができる。
【００３１】
コンピュータ可読媒体は、たとえば、電子、磁気、光学、電磁、赤外線、又は半導体のシステム、装置、デバイス、又は伝搬媒体であることができるが、これらに限定されない。コンピュータ可読媒体のより具体的な例としては、１本又は複数本のワイヤを有する電気接続、ポータブルコンピュータディスク、ランダムアクセスメモリ（ＲＡＭ）、読み取り専用メモリ（ＲＯＭ）、消去可能プログラマブル読み取り専用メモリ（ＥＰＲＯＭ、ＥＥＰＲＯＭ、又はフラッシュメモリ）、光ファイバ、及びポータブルコンパクトディスク読み取り専用メモリ（ＣＤ−ＲＯＭ）が挙げられる（非網羅的な列挙）。コンピュータ可読媒体は、プログラムが印字され、プログラムは、たとえば用紙又は他の媒体を光学スキャンすることで電子的に取り込むことができ、その後、必要であれば適切な様式でコンパイル、インタプリタ、又は別様の処理を行ってからコンピュータメモリに記憶することができる、用紙又は別の適した媒体であってもよいことに留意されたい。
【００３２】
上記は、本発明の特定の実施形態の詳細な説明である。開示した実施形態からの逸脱も本発明の範囲内にあることができ、当業者には自明の変更が想起されるであろうことが認識される。本出願人は、本発明が、開示された機能と同じ機能を実行する当該技術分野において既知の代替の実施態様を含むことを意図する。本明細書は、本発明に与えられる保護の全範囲を過度に狭めるものとして解釈されるべきではない。
【００３３】
添付の特許請求の範囲の手段又はステップ及び機能要素のすべての対応する構造、材料、行為、及び均等物は、特許請求の範囲に記載の他の要素と併せて機能する構造、材料、又は行為をいずれも特に特許請求の範囲に記載されるものとして包含することを意図する。
【００３４】
また、以下に本発明の各実施態様の例を示す。
【００３５】
［実施態様１］カラー原稿スキャナを有する多機能プリントシステム（１００）において、カラー用紙にプリントされた原稿をファクシミリ送信する方法（６００）であって、  元原稿をスキャンして（６０４）、カラースキャン画像を得ることと、前記カラースキャン画像を解析して（６０６）、前記カラースキャン画像の背景色の特徴を決定することと、  前記背景色を白に効果的に変更するように、前記背景色の特徴に基づいて前記カラースキャン画像を変更すること（６０８）と、を含むカラー用紙にプリントされた原稿をファクシミリ送信する方法。
【００３６】
［実施態様２］前記変更された原稿をファクシミリ原稿として送信すること（６１０）をさらに含む、実施態様１記載のカラー用紙にプリントされた原稿をファクシミリ送信する方法。
【００３７】
［実施態様３］前記多機能プリントシステムのハードワイヤード(hardwired)制御部（４１０）によってイネーブル(有効に)される、実施態様１記載のカラー用紙にプリントされた原稿をファクシミリ送信する方法。
【００３８】
［実施態様４］ソフトウェアメニューからオプション（５０２）を選択することによってイネーブル(有効に)される、実施態様１記載のカラー用紙にプリントされた原稿をファクシミリ送信する方法。
【００３９】
［実施態様５］前記カラースキャン画像を変更することは、前記画像内の各ピクセルの色値を均等量で調整することを含む、実施態様１記載のカラー用紙にプリントされた原稿をファクシミリ送信する方法。
【００４０】
［実施態様６］多機能プリントシステム（１００）において、カラー原稿スキャナと、ファクシミリ送信するための電話回線インタフェースと、カラー用紙にプリントされた原稿をファクシミリ送信するように動作可能なファームウェアとを備え、該ファームウェアは、元原稿をスキャンしてカラースキャン画像を得るルーチンと、前記カラースキャン画像を解析して該カラースキャン画像の背景色の特徴を決定するルーチンと、前記背景色を白に効果的に変更するように、前記背景色の特徴に基づいて前記カラースキャン画像を変更するルーチンとを含む、多機能プリントシステム。
【００４１】
［実施態様７］前記ファームウェアルーチンは、前記変更された原稿をファクシミリ原稿として送信するルーチンをさらに含む、実施態様６記載の多機能プリントシステム。
【００４２】
［実施態様８］前記カラー用紙にプリントされた原稿をファクシミリ送信するように動作可能なファームウェアは、前記多機能プリントシステムのハードワイヤード(hardwired)制御部によってイネーブル(有効に)される、実施態様６記載の多機能プリントシステム。
【００４３】
［実施態様９］前記カラー用紙にプリントされた原稿をファクシミリ送信するように動作可能なファームウェアは、ソフトウェアメニューからオプションを選択することによってイネーブル(有効に)される、実施態様６記載の多機能プリントシステム。
【００４４】
［実施態様１０］前記カラースキャン画像を変更することは、前記画像内の各ピクセルの色値を均等量で調整することを含む、実施態様６記載の多機能プリントシステム。
【図面の簡単な説明】
【００４５】
【図１】本発明の実施形態を利用することができる例示的な「オールインワン」プリントシステムを示す図である。
【図２】例示的な「オールインワン」プリントシステムを、ファクシミリを送受信するために、電話回線網を含む外部装置及びシステムに接続する、一般的な方法を示す概略ブロック図である。
【図３】カラー媒体にプリントされた例示的な原稿を示す図である。
【図４】本発明の一実施形態を組み込んだオールインワンプリント装置の例示的な制御パネルを示す図である。
【図５】本発明の一実施形態を組み込んだオールインワンプリント装置の例示的なソフトウェア又はファームウェアのメニューを示す図である。
【図６】本発明の一実施形態を示す流れ図である。
【符号の説明】
【００４６】
１００  プリントシステム
４００  制御パネル
４０８  白背景用ボタン
４１０  カラー背景用のボタン
【図１】
2006129494.tif 000003
【図２】
2006129494.tif 000004
【図３】
2006129494.tif 000005
【図４】
2006129494.tif 000006
【図５】
2006129494.tif 000007
【図６】
2006129494.tif 000008